(57)【特許請求の範囲】
【請求項１】
画像処理装置と、前記画像処理装置に接続された端末装置とを備えた画像処理システムであって、
前記画像処理装置に設けられ、画像処理装置の操作画面を表示する操作パネル部と、
前記端末装置に設けられ、前記操作パネル部と同じ操作画面を表示する表示手段と、
前記画像処理装置に設けられ、前記操作パネル部による第１の操作及び前記端末装置の操作画面による第２の操作の何れをも受け付けるとともに、第２の操作の受付後に第１の操作が開始されたときは、第１の操作が終了するまでは第１の操作のみを受け付ける受付手段と、
前記画像処理装置に設けられ、受け付けられた第１及び第２の操作に応じて、前記操作パネル部の操作画面を切り替える第１の表示制御手段と、
前記端末装置に設けられ、前記表示手段の操作画面を画像処理装置の操作パネル部の操作画面の切り替えに同期して切り替えるとともに、第２の操作の受付後に、第１の操作が開始されたときは、第１の操作が終了するまで、端末装置の操作画面を切り替えることなく、第１の操作が開始されたときの操作画面を表示保持させる第２の表示制御手段と、
前記端末装置に設けられ、前記第２の操作の内容を記憶する記憶手段と、
前記画像処理装置に設けられ、前記第１の操作の終了後に、端末装置から再送信されてきた前記記憶手段に記憶された第２の操作の内容を前記受付手段により再度受け付けることにより、第１の操作が開始される前の第２の操作の受付状態を復活させる復活手段と、
を備えたことを特徴とする画像処理システム。
【請求項２】
前記第２の操作の受付後、前記第１の操作が開始されたときは、第１の操作が終了するまで、端末装置の表示手段には、第１の操作が行われていることが表示される請求項１に記載の画像処理システム。
【請求項３】
前記復活手段による復活の途中で、受け付け不能な操作が発生した場合には、端末装置の表示手段にその旨が表示され、記憶手段に記憶されている第２の操作の内容は破棄される請求項１又は２に記載の画像処理システム。
【請求項４】
前記復活手段による復活の途中で、受付不能な操作が発生した場合には、復活手段は復活処理を保留し、端末装置の表示手段にその旨が表示され、
受付不能な操作が受付可能になった場合には、復活手段は保留していた復活処理を再開する請求項１〜３のいずれかに記載の画像処理システム。
【請求項５】
画像処理装置の操作パネル部に、画像処理装置の操作画面を表示するステップと、
画像処理装置と接続された端末装置に設けられた表示手段に、画像処理装置の操作パネル部に表示されるのと同じ操作画面を表示するステップと、
前記操作パネル部による第１の操作及び前記端末装置の操作画面による第２の操作の何れをも受け付けるとともに、第２の操作の受付後に第１の操作が開始されたときは、第１の操作が終了するまでは第１の操作のみを受け付けるステップと、
受け付けられた第１及び第２の操作に応じて、前記操作パネル部の操作画面を切り替えるステップと、
前記操作パネル部の操作画面の切り替えに同期して、前記端末装置の表示手段の操作画面を切り替えるとともに、第２の操作の受付後に、第１の操作が開始されたときは、第１の操作が終了するまで、端末装置の表示手段の操作画面を切り替えることなく、第１の操作が開始されたときの操作画面を表示保持させるステップと、
前記第２の操作の内容を端末装置の記憶手段に記憶するステップと、
前記第１の操作の終了後に、端末装置から画像処理装置に再送信されてきた前記記憶手段に記憶された第２の操作の内容を再度受け付けることにより、第１の操作が開始される前の第２の操作の受付状態を復活させるステップと、
を備えたことを特徴とする画像処理装置の操作受付方法。
【請求項６】
画像処理装置と接続可能な端末装置であって、
前記画像処理装置の操作パネル部に表示される操作画面と同じ画像処理装置用の操作画面を表示する表示手段と、
前記表示手段に表示された操作画面による第２の操作の内容を画像処理装置に送信する送信手段と、
前記第２の操作の内容を記憶する記憶手段と、
前記操作パネル部による第１の操作及び前記第２の操作の何れをも受け付ける前記画像処理装置から送信され、受け付けられた操作に応じて作成された操作画面のデータを受信する受信手段と、
受信した操作画面データに基づいて、前記表示手段に表示される操作画面を切り替える切替手段と、
前記第１の操作が開始された旨の通知が画像処理装置からあったときは、操作終了通知があるまで、前記開始通知時の操作画面を前記表示手段に表示保持させると共に、第１の操作の終了通知があったときは、前記記憶手段に記憶された第２の操作の内容を画像処理装置に再送信する制御手段と、
を備えたことを特徴とする端末装置。
【請求項７】
画像処理装置と接続可能な端末装置のコンピュータに実行させるためのプログラムであって、
前記画像処理装置の操作パネル部に表示される操作画面と同じ画像処理装置用の操作画面を表示手段に表示するステップと、
前記表示手段に表示された操作画面による第２の操作の内容を画像処理装置に送信するステップと、
前記第２の操作の内容を記憶手段に記憶するステップと、
前記操作パネル部による第１の操作及び前記第２の操作の何れをも受け付ける前記画像処理装置から送信され、受け付けられた操作に応じて作成された操作画面のデータを受信するステップと、
受信した操作画面データに基づいて、前記表示手段に表示される操作画面を切り替えるステップと、
前記第１の操作が開始された旨の通知が画像処理装置からあったときは、操作終了通知があるまで、前記開始通知時の操作画面を前記表示手段に表示保持させると共に、第１の操作の終了通知があったときは、前記記憶手段に記憶された第２の操作の内容を画像処理装置に再送信するステップと、
を端末装置のコンピュータに実行させるための操作受付プログラム。
【発明の詳細な説明】
【技術分野】
【０００１】
この発明は、画像処理装置の操作パネル部と、前記画像処理装置に接続された端末装置に表示される操作画面との両方から、同時に画像処理装置の操作が可能な画像処理システム、画像処理装置の操作受付方法、前記システムに好適に利用できる画像処理装置及び端末装置、並びに操作受付プログラムに関する。
【背景技術】
【０００２】
画像形成装置等の画像処理装置の中には、画像形成装置の操作パネル部（ローカルパネル）と、画像形成装置に接続された端末装置が備える表示装置に表示された操作画面（リモートパネル）との両方から、操作が可能なものがある。
【０００３】
このような画像処理装置では、異なるユーザによってローカルパネルからの操作とリモートパネルからの操作とが同時に行われた場合、従来では、最後の操作が受け付けられるような設定がなされていた。
【０００４】
このため、リモートパネルからの操作中に、他のユーザがローカルパネルから操作を行ってジョブを実行した場合には、リモートパネルからの操作が無効になってしまい、リモートパネルの操作を行っていたユーザは、再度操作をやり直さなければならないという問題があった。
【０００５】
なお、複数の操作パネルから同一のキー入力が行われた際の混乱を防止するために、同期間中の同一操作による誤作動を防止する技術が提案されている。
【特許文献１】特開平７−３１９６５２号公報
【発明の開示】
【発明が解決しようとする課題】
【０００６】
ところが、特許文献１に記載の技術では、同期間中の同一操作による誤作動を防止するものであり、再度操作をやり直さなければならないという上記問題に対して、これを解決しうるものではなかった。
【０００７】
本発明は、上記課題に鑑みてなされたものであり、端末装置からの画像処理装置の操作中に、他のユーザが画像形成装置の操作パネル部から操作を行ってジョブを指示した場合であっても、端末装置からの操作のやり直しを不要にした画像処理システム、画像処理装置の操作受付方法、画像処理装置及び端末装置、並びに操作受付プログラムを提供することを目的とする。
【課題を解決するための手段】
【０００８】
上記課題は、以下の手段によって解決される。
（１）画像処理装置と、前記画像処理装置に接続された端末装置とを備えた画像処理システムであって、前記画像処理装置に設けられ、画像処理装置の操作画面を表示する操作パネル部と、前記端末装置に設けられ、前記操作パネル部と同じ操作画面を表示する表示手段と、前記画像処理装置に設けられ、前記操作パネル部による第１の操作及び前記端末装置の操作画面による第２の操作の何れをも受け付けるとともに、第２の操作の受付後に第１の操作が開始されたときは、第１の操作が終了するまでは第１の操作のみを受け付ける受付手段と、前記画像処理装置に設けられ、受け付けられた第１及び第２の操作に応じて、前記操作パネル部の操作画面を切り替える第１の表示制御手段と、前記端末装置に設けられ、前記表示手段の操作画面を画像処理装置の操作パネル部の操作画面の切り替えに同期して切り替えるとともに、第２の操作の受付後に、第１の操作が開始されたときは、第１の操作が終了するまで、端末装置の操作画面を切り替えることなく、第１の操作が開始されたときの操作画面を表示保持させる第２の表示制御手段と、前記端末装置に設けられ、前記第２の操作の内容を記憶する記憶手段と、前記画像処理装置に設けられ、前記第１の操作の終了後に、端末装置から再送信されてきた前記記憶手段に記憶された第２の操作の内容を前記受付手段により再度受け付けることにより、第１の操作が開始される前の第２の操作の受付状態を復活させる復活手段と、を備えたことを特徴とする画像処理システム。
（２）前記第２の操作の受付後、前記第１の操作が開始されたときは、第１の操作が終了するまで、端末装置の表示手段には、第１の操作が行われていることが表示される前項１に記載の画像処理システム。
（３）前記復活手段による復活の途中で、受け付け不能な操作が発生した場合には、端末装置の表示手段にその旨が表示され、記憶手段に記憶されている第２の操作の内容は破棄される前項１又は２に記載の画像処理システム。
（４）前記復活手段による復活の途中で、受付不能な操作が発生した場合には、復活手段は復活処理を保留し、端末装置の表示手段にその旨が表示され、受付不能な操作が受付可能になった場合には、復活手段は保留していた復活処理を再開する前項１〜３のいずれかに記載の画像処理システム。
（５）画像処理装置の操作パネル部に、画像処理装置の操作画面を表示するステップと、画像処理装置と接続された端末装置に設けられた表示手段に、画像処理装置の操作パネル部に表示されるのと同じ操作画面を表示するステップと、前記操作パネル部による第１の操作及び前記端末装置の操作画面による第２の操作の何れをも受け付けるとともに、第２の操作の受付後に第１の操作が開始されたときは、第１の操作が終了するまでは第１の操作のみを受け付けるステップと、受け付けられた第１及び第２の操作に応じて、前記操作パネル部の操作画面を切り替えるステップと、前記操作パネル部の操作画面の切り替えに同期して、前記端末装置の表示手段の操作画面を切り替えるとともに、第２の操作の受付後に、第１の操作が開始されたときは、第１の操作が終了するまで、端末装置の表示手段の操作画面を切り替えることなく、第１の操作が開始されたときの操作画面を表示保持させるステップと、前記第２の操作の内容を端末装置の記憶手段に記憶するステップと、前記第１の操作の終了後に、端末装置から画像処理装置に再送信されてきた前記記憶手段に記憶された第２の操作の内容を再度受け付けることにより、第１の操作が開始される前の第２の操作の受付状態を復活させるステップと、を備えたことを特徴とする画像処理装置の操作受付方法。
（６）画像処理装置と接続可能な端末装置であって、前記画像処理装置の操作パネル部に表示される操作画面と同じ画像処理装置用の操作画面を表示する表示手段と、前記表示手段に表示された操作画面による第２の操作の内容を画像処理装置に送信する送信手段と、前記第２の操作の内容を記憶する記憶手段と、前記操作パネル部による第１の操作及び前記第２の操作の何れをも受け付ける前記画像処理装置から送信され、受け付けられた操作に応じて作成された操作画面のデータを受信する受信手段と、受信した操作画面データに基づいて、前記表示手段に表示される操作画面を切り替える切替手段と、前記第１の操作が開始された旨の通知が画像処理装置からあったときは、操作終了通知があるまで、前記開始通知時の操作画面を前記表示手段に表示保持させると共に、第１の操作の終了通知があったときは、前記記憶手段に記憶された第２の操作の内容を画像処理装置に再送信する制御手段と、を備えたことを特徴とする端末装置。
（７）画像処理装置と接続可能な端末装置のコンピュータに実行させるためのプログラムであって、前記画像処理装置の操作パネル部に表示される操作画面と同じ画像処理装置用の操作画面を表示手段に表示するステップと、前記表示手段に表示された操作画面による第２の操作の内容を画像処理装置に送信するステップと、前記第２の操作の内容を記憶手段に記憶するステップと、前記操作パネル部による第１の操作及び前記第２の操作の何れをも受け付ける前記画像処理装置から送信され、受け付けられた操作に応じて作成された操作画面のデータを受信するステップと、受信した操作画面データに基づいて、前記表示手段に表示される操作画面を切り替えるステップと、前記第１の操作が開始された旨の通知が画像処理装置からあったときは、操作終了通知があるまで、前記開始通知時の操作画面を前記表示手段に表示保持させると共に、第１の操作の終了通知があったときは、前記記憶手段に記憶された第２の操作の内容を画像処理装置に再送信するステップと、を端末装置のコンピュータに実行させるための操作受付プログラム。
【発明の効果】
【０００９】
前項（１）に記載の発明によれば、画像処理装置の操作パネル部による第１の操作及び端末装置の操作画面による第２の操作の何れもが受け付けられるが、第２の操作の受付後に第１の操作が開始されたときは、第１の操作が終了するまでは第１の操作のみが受け付けられる。即ち、操作パネル部からの操作が優先される。また、第２の操作の内容は端末装置の記憶手段に記憶される。そして、第１の操作の終了後に、端末装置から再送信されてきた前記記憶手段に記憶された第２の操作の内容が画像処理装置で再度受け付けられることにより、第１の操作が開始される前の第２の操作の受付状態が復活する。一方、第２の操作の受付後に、第１の操作が開始されたときは、第１の操作が終了するまで、端末装置の操作画面は切り替えられることなく、第１の操作が開始されたときの操作画面が表示保持される。従って、端末装置から画像処理装置の操作を行っているユーザは、操作途中に他のユーザが画像処理装置の操作パネルから操作を行った場合にも、前記他のユーザの操作終了後に、保持されている端末装置の操作画面を用いて続きの操作を行うことができ、最初から操作をやり直す煩わしさを解消することができ、操作性を向上できる。
【００１０】
前項（２）に記載の発明によれば、第２の操作の受付後、前記第１の操作が開始されたときは、第１の操作が終了するまで、端末装置の表示手段には、第１の操作が行われていることが表示されるから、端末装置から画像処理装置の操作を行っているユーザは、他のユーザが画像処理装置の操作パネルから操作を行っていることを認識することができる。
【００１１】
前項（３）に記載の発明によれば、復活手段による復活の途中で、受け付け不能な操作が発生した場合には、端末装置の表示手段にその旨が表示され、記憶手段に記憶されている第２の操作の内容は破棄されるから、ユーザはその旨を知ることができ、操作を最初からやり直すことができる。
【００１２】
前項（４）に記載の発明によれば、復活手段による復活の途中で、受け付け不能な操作が発生した場合には、復活手段は復活処理を保留し、端末装置の表示手段にその旨が表示されるから、ユーザはその旨を知ることができ、また、例えばユーザが受け付け不能な操作の発生原因を取り除くことで、受け付け不能な操作が受付可能になった場合には、保留していた復活処理を再開することができる。
【００１４】
前項（５）に記載の発明によれば、画像処理装置の操作パネル部による第１の操作及び端末装置の操作画面による第２の操作の何れもが受け付けられるが、第２の操作の受付後に第１の操作が開始されたときは、第１の操作が終了するまでは第１の操作のみが受け付けられる。また、第１の操作の終了後に、端末装置から画像処理装置に再送信されてきた端末装置の記憶手段に記憶された第２の操作の内容を再度受け付けることにより、第１の操作が開始される前の第２の操作の受付状態が復活する。一方、第２の操作の受付後に、第１の操作が開始されたときは、第１の操作が終了するまで、端末装置の操作画面は切り替えられることなく、第１の操作が開始されたときの操作画面が表示保持される。従って、端末装置から画像処理装置の操作を行っているユーザは、操作途中に他のユーザが画像処理装置の操作パネルから操作を行った場合にも、その操作が終了すると、保持されている端末装置の操作画面を用いて続きの操作を行うことができ、最初から操作をやり直す煩わしさを解消することができ、操作性を向上できる。
【００１６】
前項（６）に記載の発明によれば、第１の操作が開始された旨の通知が画像処理装置からあったときは、操作終了通知があるまで、前記開始通知時の操作画面が前記表示手段に表示保持され、第１の操作の終了通知があったときは、前記記憶手段に記憶された第２の操作の内容が画像処理装置に再送信されるから、画像処理装置において、第２の操作の受付状態を復帰させることができる。
【００１７】
前項（７）に記載の発明によれば、前記画像処理装置の操作パネル部に表示される操作画面と同じ画像処理装置用の操作画面を表示手段に表示する処理、表示された操作画面による第２の操作の内容を画像処理装置に送信する処理、第２の操作を記憶する処理、操作パネル部による第１の操作及び第２の操作の何れをも受け付ける前記画像処理装置から送信され、受け付けられた操作に応じて作成された操作画面のデータを受信する処理、受信した操作画面データに基づいて、前記表示手段に表示される操作画面を、画像処理装置の操作パネル部の操作画面と同期的に切り替える処理、第１の操作が開始された旨の通知が画像処理装置からあったときは、操作終了通知があるまで、前記開始通知時の操作画面を前記表示手段に表示保持させると共に、第１の操作の終了通知があったときは、前記記憶手段に記憶された第２の操作の内容を画像処理装置に再送信する処理を端末装置のコンピュータに実行させることができる。
【発明を実施するための最良の形態】
【００１８】
以下、本発明の一実施形態を、図面を参照しながら説明する。
【００１９】
図１は、本発明の一実施形態に係る画像処理システムの構成を示したものである。
【００２０】
図１に示すように、画像処理システムは、画像処理装置として使用される画像形成装置１及び端末装置２等から構成され、これらはネットワーク３を介して通信可能に接続されている。
【００２１】
画像形成装置１は、多機能デジタル複合機であるＭＦＰ（Multi Function Peripherals）からなり、ネットワーク３を介して端末装置２等の外部端末装置から受信したプリントデータや、プラテンガラス（図示せず）上などにセットされた原稿を読み取ることによって得られた画像データの印刷等を行う。
【００２２】
端末装置２は、パーソナルコンピュータからなり、文書作成ソフトや画像形成装置１を使用するためのプリンタドライバ等が保存されている。この実施形態では、表示部２３に表示される操作画面（リモートパネル）を介して画像形成装置１の操作が可能となされている。
【００２３】
次に、画像形成装置１の電気的構成を、図１を参照しながら説明する。
【００２４】
図１に示すように、画像形成装置１は制御部１０、操作パネル部（ローカルパネル）１１及び通信部１２等を備えている。
【００２５】
制御部１０は、ＣＰＵ１３及びビットマップ生成部１５等を備えている。
【００２６】
ＣＰＵ１３は、ＲＯＭ（図示せず）等に保存されたプログラムを実行することにより、画像形成装置１の全体を統括的に制御するが、詳しくは後述する。
【００２７】
ビットマップ生成部１５は、操作パネル部１１の表示部１６に表示された操作画面のビットマップデータの生成を行う。
【００２８】
操作パネル部１１は、表示部１６、キー入力部１７及びボタン部１８等を備えている。
【００２９】
表示部１６には、操作画面や各種設定画面等が表示されるものであり、例えば液晶タッチパネルなどにより構成されている。
【００３０】
キー入力部１７は、テンキー等を備え、ユーザによる入力操作に用いられる。また、ボタン部１８は、スタートボタンや中止ボタン等を備え、処理の実行や処理の中止等を行う際に押下されるものである。
【００３１】
通信部１２は、ネットワーク３を介して端末装置２等の外部装置との間で、データの送受信を行うものである。この実施形態では、端末装置２からの画像形成装置１に対する操作を受信したり、操作パネル１１を介しての操作が開始された旨の通知や、前記操作が終了した旨の通知を端末装置２に送信したり、前記ビットマップ生成部１５により生成された表示部１６の操作画面のビットマップデータからなる画面データを端末装置２に送信する。
【００３２】
次に、端末装置２の電気的構成を、図１を参照しながら説明する。
【００３３】
図１に示すように、端末装置２は、ＣＰＵ２１、コマンド記憶部２２、表示部２３及び通信部２４等を備えている。
【００３４】
ＣＰＵ２１は、ＲＯＭ（図示せず）に保存されているプログラムを実行することにより、端末装置２を統括的に制御するが、詳しくは後述する。
【００３５】
コマンド記憶部２２は記録媒体からなり、表示部２３に表示された操作画面を介してユーザが行った操作の内容等を記憶する。
【００３６】
表示部２３は液晶表示装置やＣＲＴ等からなり、画像形成装置１の操作や各種設定を行うための操作画面が表示される。この実施形態では、前記ＣＰＵ２１の制御により、画像形成装置１のビットマップ生成部１５により生成された操作パネル部１１における表示部１６の画面データに基づいて、表示部１６に表示された操作画面と同一の操作画面が表示されると共に、画像形成装置１側の操作画面が切り替わるたびに、表示部２３に表示された操作画面も同期的に切り替わるものとなされている。そして、この表示部２３に表示された操作画面上のキーやボタンが押下されると、操作画面上の位置情報が画像形成装置１に送信され、画像形成装置１ではこの位置情報を基に、操作画面上のどのキーやボタンがされたかを判断し、対応する操作を受け付けるものとなされている。
【００３７】
通信部２４は、画像処理装置１等との間でデータの送受信を行うものである。この実施形態では、画像形成装置１のビットマップ生成部１５が生成した画像形成装置１の表示部１６の操作画面のビットマップデータ（画面データ）を受信したり、表示部２３に表示された操作画面を介してユーザが行った操作（位置情報）を画像形成装置１に送信する。
【００３８】
次に、図１に示した画像処理システムの動作を、図２を参照しながら説明する。
【００３９】
ユーザによって端末装置１の表示部２３に表示された操作画面から操作Ａがなされると、当該操作の内容が画像形成装置１に送信され、当該操作に対応して操作画面５０（画面Ａ）が操作パネル部（ローカルパネル）１１の表示部１６に表示される。
【００４０】
画像形成装置１のビットマップ生成部１５は、表示部１６に表示された操作画面データからビットマップデータを生成し、生成されたビットマップデータからなる画面データを端末装置２に送信する。
【００４１】
端末装置２では、送信されてきた画面データを受信し、この画面データに基づく操作画面５０（リモートパネル）が表示部２３に表示される。つまり、画像形成装置１の操作パネル部１１の表示部１６への操作画面５０の表示と同期して、端末装置２の表示部２３に、同じ操作画面５０（画面Ａ）が表示される。
【００４２】
引き続いて、端末装置２のユーザにより操作画面５０を介して操作Ｂがなされると、画像形成装置１の操作パネル部１１の表示部１６、及び端末装置２の表示部２３の操作画面が、いずれも操作画面５１（画面Ｂ）に切り替わる。
【００４３】
さらに、操作画面５１を介して操作Ｃがなされると、操作画面５２（画面Ｃ）がパネル表示部２３と表示部１６とにそれぞれ切替表示される。
【００４４】
また、端末装置１の表示部２３に表示された操作画面からユーザが操作を行う度に、各操作の内容がコマンド記憶部２２に記憶される。
【００４５】
次に、画像形成装置１の操作パネル部１１を介して、他のユーザが操作Ｄを行うと、この操作が画像形成装置１で新たに受け付けられる。つまり、画像形成装置１の操作パネル部１１からの操作が優先され、端末装置２から今まで行われた操作Ａ〜Ｃは受付が解除される。そして、操作パネル部１１を介しての操作が開始された旨の通知が、画像形成装置１から端末装置２に送信されるとともに、操作Ｄに対応する操作画面５３（画面Ｄ）が操作パネル部１１の表示部１６に切替表示される。また引き続いて操作Ｅが行われると、操作Ｅが受け付けられるとともに、操作Ｅに対応する操作画面５４（画面Ｅ）が表示部１６に切替表示される。
【００４６】
一方、操作が開始された旨の通知を受信した端末装置２は、その通知を受けた際に表示部２３に表示されていた操作画面５２（画面Ｃ）の表示を保持すると共に、画像形成装置１が操作パネル部１１を用いて操作されている旨、換言すれば画像形成装置１が使用中である旨を、表示部２３に表示する。この表示により、端末装置２のユーザは、他のユーザが画像形成装置１の操作を、その操作パネル部１１により行っていることを認識できる。
【００４７】
次に、画像形成装置１の操作パネル部１１を介しての操作が終了すると、画像形成装置１は、その旨を端末装置２に送信する。なお、操作が終了したことは、ユーザが画像形成装置１から離れたことを検知し、あるいはジョブの終了を検知すること等により、判定可能である。
【００４８】
画像形成装置１からの操作終了通知を受信した端末装置２は、コマンド記憶部２２に記憶されている、端末装置２から画像形成装置１に対して行われた一連の操作（この実施形態では操作Ａ〜Ｃ）の内容を、順に画像形成装置１に再送信する。再送信する毎に、画像形成装置１は各々の操作を受け付け、他のユーザによる操作パネル部１１からの操作が開始されるまでに端末装置２から行った操作の受付状態が復活する。また、各操作が受け付けられる度に、各操作に応じた操作画面が、画像形成装置１の操作パネル部１１の表示部１６及び端末装置２の表示部２３に順に表示され、最終的に最後の操作（この例では操作Ｃ）に対応する操作画面５２（画面Ｃ）が表示される。
【００４９】
即ち、操作Ａ、操作Ｂ及び操作Ｃの内容が、順に画像形成装置１に再送信されることにより、操作パネル部１１の表示部１６及び端末装置２の表示部２３には、再度画面Ａ、画面Ｂ、画面Ｃが、この順序に従って切替表示され、画面Ｃが最終画面として表示される。
【００５０】
この状態では、端末装置２から画像形成装置１に対して行われた操作Ａ〜Ｃが、画像形成装置１で再度受け付けられ、他のユーザが操作パネル部１１から操作を行う前の受付状態が復活している。従って、端末装置２のユーザは、既に行った操作Ａ〜Ｃを最初からやり直さなくても、操作Ｃに続く操作を行うことができ、最初から操作をやり直す煩わしさを解消することができ、操作性を向上できる。
【００５１】
次に、図２に示した画像処理システムの動作を実行する際の画像形成装置１及び端末装置２のそれぞれの動作を、フローチャートを参照しながら説明する。
【００５２】
図３は、画像形成装置１の動作を説明するためのフローチャートである。なお、この動作は、ＣＰＵ１３がＲＯＭ（図示しない）等の記録媒体に保存されているプログラムを実行することにより、実現される。
【００５３】
端末装置２の表示部２３を介して、画像形成装置１に対する操作が開始されると、当該操作の内容が画像形成装置１に送信される。
【００５４】
画像形成装置１によって操作の内容が受信されると（ステップＳ１０）、これが受け付けられ（ステップＳ１１）、次いで表示部１６の画面がその操作に対応する操作画面に切り替え表示される（ステップＳ１２）。そして、当該操作画面のデータからビットマップデータが生成され、生成されたビットマップデータからなる画面データが端末装置２に送信される（ステップＳ１４）。
【００５５】
次に、操作パネル部１１から操作が行われたか否かの判定が行われ（ステップＳ１６）、操作が行われていない場合（ステップＳ１６でＮＯ）、端末装置２からスタート指示がなされたか否かの判定が行われる（ステップＳ２０）。
【００５６】
スタート指示がなされていない場合（ステップＳ２０でＮＯ）、まだ端末装置２からの操作は継続中なので、ステップＳ１０に戻って、端末装置２からの次の操作を受け付ける。一方、スタートの指示がなされた場合（ステップＳ２０でＹＥＳ）、処理（ジョブ）が実行される（ステップＳ２２）。
【００５７】
ステップＳ１６で、操作パネル部１１から操作が行われた場合（ステップＳ１６でＹＥＳ）、操作パネル部１１からの操作を優先させるために、操作パネル部１１から操作が開始された旨の通知が端末装置２に送信され（ステップＳ１８）、次いで操作パネル部１１からの操作が終了したか否かの判定が行われる（ステップＳ２４）。
【００５８】
終了していない場合（ステップＳ２４でＮＯ）、終了するまで待つ。一方、終了した場合（ステップＳ２４でＹＥＳ）、操作パネル１１からの操作が終了した旨の通知が端末装置２に送信される（ステップＳ２６）。
【００５９】
終了した旨の通知を受信した端末装置２は、コマンド記憶部２２に保存されている、端末装置２による操作の開始から、画像形成装置１の操作パネル部１１による操作が開始されるまでに、端末装置２のユーザによってなされた一連の操作（図２の例では操作Ａ〜Ｃ）の内容を、画像形成装置１に順に再送信する。
【００６０】
端末装置２から再送信された最初の操作の内容が受信されると（ステップＳ２８）、この操作が受け付けられ（ステップＳ２９）、表示部１６に当該操作に対応する画面が表示され（ステップＳ３０）、その画面のビットマップデータが端末装置２に送信される（ステップＳ３１）。
【００６１】
次いで、ステップＳ３２では、端末装置２から再送信された全ての操作を受け付けて、操作パネル部１１からの操作開始前の受付状態への復活が完了したか否かが判断される。復活が完了していなければ（ステップＳ３２でＮＯ）、ステップＳ２８に戻って、端末装置２からの次の操作の内容を受信する。復活が完了した場合（ステップＳ３２でＹＥＳ）、ステップＳ２０に進む。
【００６２】
こうして、端末装置２から再送信された一連の操作に対して、ステップＳ２８〜ステップＳ３２が繰り返され、操作パネル部１１から操作が行われる前の受付状態が復活する。
【００６３】
復活後、端末装置のユーザがさらに操作を行う場合には、ステップＳ１０〜ステップＳ２０が繰り返される。
【００６４】
図４は、端末装置２の動作を示すフローチャートである。なお、この動作は、端末装置２のＣＰＵ２１がＲＯＭ（図示せず）等の記録媒体に保存されているプログラムを実行することにより、実現される。
【００６５】
表示部２３の操作画面を介してユーザによりなされた画像形成装置１に対する操作を受け付けると（ステップＳ５０）、受け付けられた操作の内容がコマンド記憶部２２に保存されるとともに（ステップＳ５２）、その操作の内容が画像形成装置１に送信される（ステップＳ５４）。
【００６６】
操作の内容を受信した画像形成装置１は、前述したように、操作パネル部１１の表示部１６に表示された操作画面のデータを、ビットマップデータとして端末装置２に送信する。
【００６７】
画像形成装置１からの画面データを受信すると、パネル表示部２３の操作画面を当該画面データに対応する画面に切り替えたのち（ステップＳ５６）、画像形成装置１から、操作パネル１１からの操作が開始された旨の通知を受信したか否かの判定が行われる（ステップＳ５８）。
【００６８】
受信していない場合（ステップＳ５８でＮＯ）、ユーザの操作が完了したかどうかが、スタート指示がなされたか否か等により判定される（ステップＳ６０）。
【００６９】
操作が完了していない場合（ステップＳ６０でＮＯ）、ステップＳ５０に戻る。一方、操作が完了している場合（ステップＳ６０でＹＥＳ）、処理を終了する。
【００７０】
ステップＳ５８で、操作が開始された旨の通知を受信した場合（ステップＳ５８でＹＥＳ）、表示部２３に現在表示されている画面がそのまま保持されると共に、画像形成装置１で操作中（使用中）である旨がパネル表示部２３に表示される（ステップＳ６２）。なお、これ以降、画像形成装置１から操作が終了した旨の通知が受信されるまでは、表示部２３からなされた画像形成装置１の操作は受け付けない構成としても良い。
【００７１】
次に、操作が終了した旨の通知を受信したか否かの判定が行われ（ステップＳ６４）、受信していない場合（ステップＳ６４でＮＯ）、受信するまで待つ。
【００７２】
一方、受信した場合（ステップＳ６４でＹＥＳ）、端末装置２がこれまで受け付けた操作を画像形成装置１に再度受け付けさせるために、コマンド記憶部２２に保存されている操作の内容が１つずつ順に画像形成装置１に再送信され（ステップＳ６６）、画像形成装置１から操作に対応する画面データを受信した後、表示部２３の画面が対応する操作画面に切り替えられる（ステップＳ６８）。
【００７３】
次に、コマンド記憶部２２に記憶されている全ての操作の再送信が完了したか否かの判定が行われる（ステップＳ７２）。完了していない場合（ステップＳ７０でＮＯ）、ステップＳ６６に戻り、次の操作内容を送信する。一方、完了した場合（ステップＳ７０でＹＥＳ）、ステップＳ６０に戻る。
【００７４】
図５は、図１に示した画像処理システムの他の動作を説明するための図である。この例は、画像形成装置１側での操作の終了後に、端末装置２から再送信された操作の中に、画像形成装置１で受付不可能な操作が存在していた場合を示すものである。
【００７５】
ユーザによって端末装置１の表示部２３に表示された操作画面から操作Ａがなされると、当該操作が画像形成装置１に送信され、当該操作に対応して操作画面６０（画面Ａ）が操作パネル部（ローカルパネル）１１の表示部１６に表示される。
【００７６】
画像形成装置１のビットマップ生成部１５は、表示部１６に表示された操作画面データからビットマップデータを生成し、生成されたビットマップデータを端末装置２に送信する。
【００７７】
端末装置２では、送信されてきた画面データを受信し、この画面データに基づく操作画面６０（リモートパネル）が表示部２３に表示される。
【００７８】
引き続いて、端末装置２のユーザにより操作画面６０を介して操作Ｂがなされる。この例では、ペーパーサイズを指定して操作Ｂを行ったものとする。すると、画像形成装置１の操作パネル部１１の表示部１６、及び端末装置２の表示部２３の操作画面が、いずれも操作画面６１（画面Ｂ）に切り替わる。
【００７９】
さらに、操作画面６１を介して操作Ｃがなされると、操作画面６２（画面Ｃ）がパネル表示部２３と表示部１６とにそれぞれ切替表示される。
【００８０】
また、端末装置１の表示部２３に表示された操作画面からユーザが操作を行う度に、各操作が順にコマンド記憶部２２に記憶される。
【００８１】
次に、画像形成装置１の操作パネル部１１を介して、他のユーザが操作Ｄを行うと、この操作が画像形成装置１で新たに受け付けられる。つまり、画像形成装置１の操作パネル部１１からの操作が優先され、端末装置２から今まで行われた操作Ａ〜Ｃは解除される。そして、操作パネル部１１を介しての操作が開始された旨の通知が、画像形成装置１から端末装置２に送信されるとともに、操作Ｄに対応する操作画面６３（画面Ｄ）が操作パネル部１１の表示部１６に切替表示される。また引き続いて操作Ｅが行われると、操作Ｅが受け付けられるとともに、操作Ｅに対応する操作画面６４（画面Ｅ）が表示部１６に切替表示される。
【００８２】
一方、操作パネル部１１からの操作が開始された旨の通知を受信した端末装置２は、その通知を受けた際に表示されていた操作画面６２（画面Ｃ）の表示を保持すると共に、画像形成装置１が操作パネル部１１を用いて操作されている旨、換言すれば画像形成装置１が使用中である旨を、表示部２３に表示する。
【００８３】
次に、画像形成装置１の操作パネル部１１を介しての操作が終了すると、画像形成装置１は、その旨の通知を端末装置２に送信する。
【００８４】
画像形成装置１からの操作終了通知を受信した端末装置２は、コマンド記憶部２２に記憶されている、端末装置２から画像形成装置１に対して行われた一連の操作（この実施形態では操作Ａ〜Ｃ）の指示を、順々に画像形成装置１に再送信する。
【００８５】
ここで、再送信された操作のうち、画像形成装置１で受付不可能となった操作が存在するものとする。例えば、操作Ｂで指示されたペーパーサイズの用紙がエンプティとなっていた場合、ペーパーサイズの用紙を指定する端末装置２からの操作Ｂは、受付不可能となる。
【００８６】
このため、操作Ｂの内容を受信した画像処理装置１は、操作パネル部１１の操作画面をエンプティ表示がなされた画面Ｂに切り替えるとともに、操作Ｂの受付が不可能である旨の通知を端末装置２に送信する。
【００８７】
端末装置２では、表示部２３に、エンプティ表示がなされた画面Ｂと同じ操作画面Ｂを表示すると共に、操作Ｂの受付が不可能である旨の通知を受信して、以降の操作である操作Ｃの内容を画像形成装置１へ送信するのを中止する。そして、コマンド記憶部２２に記憶されている端末装置２側の操作（操作Ａ〜Ｃ）を破棄する。
【００８８】
このように、端末装置２の表示部２３には、エンプティ表示がなされた画面Ｂが表示されるから、端末装置のユーザはエンプティ表示を見て、操作Ｂが受け付けられなかったのを認識することができる。また、コマンド記憶部２２に記憶されている端末装置２側の操作（操作Ａ〜Ｃ）は破棄されるから、ユーザは最初から操作をやり直すことができる。
【００８９】
次に、図５に示した画像処理システムの動作を実行する際の画像形成装置１及び端末装置２のそれぞれの動作を、フローチャートを参照しながら説明する。
【００９０】
図６は、画像形成装置１の動作を説明するためのフローチャートである。なお、この動作は、ＣＰＵ１３がＲＯＭ（図示しない）等の記録媒体に保存されているプログラムを実行することにより、実現される。
【００９１】
端末装置２のパネル表示部２３を介して、画像形成装置１に対する操作が開始されると、当該操作が画像形成装置１に送信される。
【００９２】
画像形成装置１によって、操作が受信されると（ステップＳ１０）、これが受け付けられ（ステップＳ１１）、次いで表示部１６の画面がその操作に対応する操作画面に切り替え表示される（ステップＳ１２）。そして、当該操作画面のデータからビットマップデータが生成され、生成されたビットマップデータからなる画面データが端末装置２に送信される（ステップＳ１４）。
【００９３】
次に、操作パネル部１１から操作が行われたか否かの判定が行われ（ステップＳ１６）、操作が行われていない場合（ステップＳ１６でＮＯ）、端末装置２からスタート指示がなされたか否かの判定が行われる（ステップＳ２０）。
【００９４】
スタート指示がなされていない場合（ステップＳ２０でＮＯ）、まだ端末装置２からの操作は継続中なので、ステップＳ１０に戻って、端末装置２からの次の操作を受け付ける。一方、スタートの指示がなされた場合（ステップＳ２０でＹＥＳ）、処理（ジョブ）が実行される（ステップＳ２２）。
【００９５】
ステップＳ１６で、操作パネル部１１から操作が行われた場合（ステップＳ１６でＹＥＳ）、操作パネル部１１からの操作を優先させるために、操作パネル部１１から操作が開始された旨の通知が端末装置２に送信され（ステップＳ１８）、操作パネル１１からの操作が終了したか否かの判定が行われる（ステップＳ２４）。
【００９６】
終了していない場合（ステップＳ２４でＮＯ）、終了するまで待つ。一方、終了した場合（ステップＳ２４でＹＥＳ）、操作パネル１１からの操作が終了した旨の通知が端末装置２に送信される（ステップＳ２６）。
【００９７】
終了した旨の通知を受信した端末装置２は、端末装置２による操作の開始から画像形成装置１の操作パネル部１１による操作が開始されるまでにユーザによってなされ、かつコマンド記憶部２２に保存されている一連の操作（図２の例では操作Ａ〜Ｃ）の内容を、画像形成装置１に順に再送信する。
【００９８】
端末装置２から再送信された最初の操作の内容が受信されると（ステップＳ２８）、これが受け付け可能であるかどうかが判断され（ステップＳ３４）、受付可能であれば（ステップＳ３４でＹＥＳ）、この操作を受け付けた後（ステップＳ３５）、表示部１６の画面が当該操作に対応する画面に切り替えられ（ステップＳ３６）、その画面のビットマップデータが端末装置２に送信される（ステップＳ３７）。
【００９９】
次いで、ステップＳ４１では、端末装置２から再送信された全ての操作を受け付けて、操作パネル部１１からの操作開始前の受付状態への復活が完了したか否かが判断される。復活が完了していなければ（ステップＳ４１でＮＯ）、ステップＳ２８に戻って、端末装置２からの次の操作を受信する。復活が完了した場合（ステップＳ４１でＹＥＳ）、ステップＳ２０に進む。
【０１００】
一方、ステップＳ３４において、端末装置２から再送信された操作が受け付け可能でなければ（ステップＳ３４でＮＯ）、操作パネル部１１の表示部１６の画面が、受付不可能であることを示す画面に切り替えられる（ステップＳ３８）。そして、その画面のビットマップデータが端末装置２へ送信され（ステップＳ３９）、さらに受付不可である旨の通知が端末装置２へ送信されたのち（ステップＳ４０）、処理を終了する。
【０１０１】
図７は、端末装置２の動作を示すフローチャートである。なお、この動作は、端末装置２のＣＰＵ２１がＲＯＭ（図示せず）等の記録媒体に保存されているプログラムを実行することにより、実現される。
【０１０２】
表示部２３の操作画面を介してユーザによりなされた画像形成装置１に対する操作を受け付けると（ステップＳ５０）、受け付けられた操作がコマンド記憶部２２に保存されるとともに（ステップＳ５２）、その操作が画像形成装置１に送信される（ステップＳ５４）。
【０１０３】
操作を受信した画像形成装置１は、前述したように、操作パネル部１１の表示部１６に表示された操作画面のデータを、ビットマップデータとして端末装置２に送信する。
【０１０４】
画像形成装置１からの画面データを受信すると、パネル表示部２３の操作画面を当該画面データに対応する画面に切り替えたのち（ステップＳ５６）、画像形成装置１から、操作パネル１１からの操作が開始された旨の通知を受信したか否かの判定が行われる（ステップＳ５８）。
【０１０５】
受信していない場合（ステップＳ５８でＮＯ）、操作が完了したかどうかが例えばスタート指示がなされたか否か等により判定される（ステップＳ６０）。
【０１０６】
操作が完了していない場合（ステップＳ６０でＮＯ）、ステップＳ５０に戻る。一方、操作が完了した場合（ステップＳ６０でＹＥＳ）、処理を終了する。
【０１０７】
ステップＳ５８で、操作が開始された旨の通知を受信した場合（ステップＳ５８でＹＥＳ）、表示部２３に現在表示されている画面がそのまま保持されると共に、画像形成装置で操作中（使用中）である旨がパネル表示部２３に表示される（ステップＳ６２）。なお、これ以降、画像形成装置１から操作が終了した旨が受信されるまでは、パネル表示部２３からなされた画像形成装置１の操作は受け付けない構成としても良い。
【０１０８】
次に、操作が終了した旨の通知を受信したか否かの判定が行われ（ステップＳ６４）、受信していない場合（ステップＳ６４でＮＯ）、受信するまで待つ。
【０１０９】
一方、受信した場合（ステップＳ６４でＹＥＳ）、画像形成装置１にこれまで受け付けた操作を再送信するために、コマンド記憶部２２に保存されている操作の内容が１つずつ順に画像形成装置１に送信され（ステップＳ６６）、画像形成装置１から操作に対応する画面データを受信した後、表示部２３の画面が対応する操作画面に切り替えられる（ステップＳ６８）。
【０１１０】
次いで、画像形成装置１から、受付不可の操作が存在している旨の通知を受信したかどうかが判断され（ステップＳ７０）、受信していなければ（ステップＳ７０でＮＯ）、全ての操作の内容が再送信されたかどうかが判断される（ステップＳ７２）。全ての配信が完了していなければ（ステップＳ７２でＮＯ）、ステップＳ６６に戻って次の操作の内容を再送信する。再送信が全て完了していれば（ステップＳ７２でＹＥＳ）、ステップＳ６０に進む。
【０１１１】
一方、ステップＳ７０で、受付不可の操作が存在している旨の通知を受信した場合は（ステップＳ７０でＹＥＳ）、ステップＳ７４で、コマンド記憶部２２に記憶されている操作の内容を破棄する。
【０１１２】
図８は、図１に示した画像処理システムの他の動作を説明するための図である。図５の例では、画像形成装置１側での操作終了後に端末装置２から再送信された操作の中に、画像形成装置１で受付不可能な操作が存在していた場合に、コマンド記憶部２２に記憶されていた操作を破棄する構成とした。これに対し、図８の例では、破棄することなく次の操作の再送信を保留し、再送信された操作が受付不可能となっている原因が除去されるのを待ち、除去後に保留していた再送信を再開して、端末装置２からの受付状態を復活させるものである。
【０１１３】
なお、図８において、端末装置２から再送信された操作Ｂの指示がペーパーエンプティのため受付不可能であり、エンプティ表示を伴う画面６５（画面Ｂ）が表示部２３に表示されるまでの動作は、図５に示した例と同じであるので、説明を省略する。
【０１１４】
端末装置２の表示部２３には、エンプティ表示がなされた画面Ｂが表示されるから、端末装置のユーザはエンプティ表示を見て、操作Ｂが受け付けられなかったのを認識することができる。そこで、端末装置２のユーザが画像形成装置１まで出向いて、ペーパーエンプティを解除したとする。
【０１１５】
すると、画像形成装置１は、受付できなかった操作Ｂを受け付けると共に、受付可能となった旨の通知を端末装置２に送信する。
【０１１６】
前記通知を受信した端末装置２は、再送信を保留していた操作Ｃの内容を画像形成装置１に送信することにより、画像形成装置１では、操作パネル部１１からの操作が開始されるまでに端末装置２から行った操作の受付状態が復活する。
【０１１７】
次に、図８に示した画像処理システムの動作を実行する際の画像形成装置１及び端末装置２のそれぞれの動作を、フローチャートを参照しながら説明する。
【０１１８】
図９は、画像形成装置１の動作を説明するためのフローチャートである。なお、この動作は、ＣＰＵ１３がＲＯＭ（図示しない）等の記録媒体に保存されているプログラムを実行することにより、実現される。
【０１１９】
図９のフローチャートにおいて、ステップＳ１０〜Ｓ２８までは図６のステップＳ１０〜Ｓ２８と同一なので、説明は省略する。
【０１２０】
ステップＳ２８において、端末装置２から再送信された操作の内容を受信すると、その操作が受付可能か否か判断される（ステップＳ３４）。受付可能であれば（ステップＳ３４でＹＥＳ）、その操作を受け付けたのち（ステップＳ３５）、操作パネル部１１の表示画面をその操作に応じた画面に切り替え（ステップＳ３６）、その画面のデータが端末装置２に送信される（ステップＳ３７）。
【０１２１】
次いで、ステップＳ４１では、端末装置２から再送信された全ての操作を受け付けて、操作パネル部１１からの操作開始前の受付状態への復活が完了したか否かが判断される。復活が完了していなければ（ステップＳ４１でＮＯ）、ステップＳ２８に戻って、端末装置２からの次の操作の内容を受信する。復活が完了した場合（ステップＳ４１でＹＥＳ）、ステップＳ２０に進む。
【０１２２】
一方、ステップＳ３４において、端末装置２から再送信された操作が受け付け可能でなければ（ステップＳ３４でＮＯ）、操作パネル部１１の表示部１６の画面が、受付不可能であることを示す画面に切り替えられる（ステップＳ３８）。そして、その画面のビットマップデータが端末装置２へ送信され（ステップＳ３９）、さらに受付不可である旨の通知が端末装置２へ送信される（ステップＳ４０）。
【０１２３】
次いで、受付が可能になったかどうかが判断され（ステップＳ４２）、受付可能にならなければ（ステップＳ４２でＮＯ）、受付可能になるまで待つ。受付不可能となっている原因が解除され、受付可能になると（ステップＳ４２でＹＥＳ）、その操作が受け付けられ（ステップＳ４３）、受付可能となった旨の通知が端末装置２に送信されたのち（ステップＳ４４）、ステップＳ２８に戻る。
【０１２４】
図１０は端末装置２の動作を示すフローチャートである。なお、この動作は、端末装置２のＣＰＵ２１がＲＯＭ（図示せず）等の記録媒体に保存されているプログラムを実行することにより、実現される。
【０１２５】
図１０のフローチャートにおいて、ステップＳ５０〜Ｓ７０までは図７のステップＳ５０〜Ｓ７０と同一なので、説明は省略する。
【０１２６】
ステップＳ７０において、画像形成装置１から受付不可能である旨の通知を受信したかどうかを判断し、受信すれば（ステップＳ７０でＹＥＳ）、画像形成装置１から受付可能となった旨の通知を受信したかどうかを判断する（ステップＳ７６）。受信しなければ（ステップＳ７６でＮＯ）、受信するまで待つ。受信すれば（ステップＳ７６でＹＥＳ）、ステップＳ６６に戻って、次の操作の内容を再送信する。
【０１２７】
ステップＳ７０において、画像形成装置１から受付不可能である旨の通知を受信しなれば（ステップＳ７０でＮＯ）、全ての操作の内容が再送信されたかどうかが判断される（ステップＳ７２）。全ての再送信が完了していなければ（ステップＳ７２でＮＯ）、ステップＳ６６に戻って次の操作を再送信する。再送信が全て完了していれば（ステップＳ７２でＹＥＳ）、ステップＳ６０に進む。
【０１２８】
以上、本発明の一実施形態を説明したが、本発明は上記実施形態に限定されるものではない。
【０１２９】
例えば、上記実施形態では、コマンド記憶部２２を端末装置２に設けて、端末装置２からなされた操作の内容をコマンド記憶部２２に記憶しておき、画像形成装置１の操作パネル部１１から操作が開始されたときは、その操作の終了後に、コマンド記憶部２２に記憶された操作の内容を画像形成装置１に再送信して、端末装置２側から行われた操作の受付状態を画像形成装置１で復活させるものとした。しかし、画像形成装置１の記憶部に端末装置２から送信された操作の内容を記憶しておき、画像形成装置１の操作パネル部１１から操作が開始されたときは、その操作の終了後に、前記記憶部に記憶されている端末装置側からの操作の内容を呼び出して、再度受け付けることにより復活させるものとしても良い。
【図面の簡単な説明】
【０１３０】
【図１】この発明の一実施形態に係る画像処理システムの構成を示した図である。
【図２】図１の画像処理システムの動作の一例を説明するための図である。
【図３】図２の動作を実行する際の画像形成装置の動作を説明するためのフローチャートである。
【図４】図２の動作を実行する際の端末装置の動作を説明するためのフローチャートである。
【図５】図１の画像処理システムの動作の他の例を説明するための図である。
【図６】図５の動作を実行する際の画像形成装置の動作を説明するためのフローチャートである。
【図７】図５の動作を実行する際の端末装置の動作を説明するためのフローチャートである。
【図８】図１の画像処理システムの動作のさらに他の例を説明するための図である。
【図９】図８の動作を実行する際の画像形成装置の動作を説明するためのフローチャートである。
【図１０】図８の動作を実行する際の端末装置の動作を説明するためのフローチャートである。
【符号の説明】
【０１３１】
１・・・画像形成装置
２・・・端末装置
１０・・・制御部
１１・・・操作パネル部
１２・・・通信部
１３・・・ＣＰＵ
１５・・・ビットマップ生成部
１６・・・表示部
１７・・・キー入力部
１８・・・ボタン部
２１・・・ＣＰＵ
２２・・・コマンド記憶部
２３・・・表示部
【図１】
0004941184.tif 000002
【図２】
0004941184.tif 000003
【図３】
0004941184.tif 000004
【図４】
0004941184.tif 000005
【図５】
0004941184.tif 000006
【図６】
0004941184.tif 000007
【図７】
0004941184.tif 000008
【図８】
0004941184.tif 000009
【図９】
0004941184.tif 000010
【図１０】
0004941184.tif 000011